(57)【要約】      （修正有）【課題】定着器部材および外部加熱部材などのゼログラフィ部材を含む電気写真部材のための洗浄機構の提供。【解決手段】洗浄機構は、定着器部材と接触する研磨用洗浄ロール紙を含むことが出来、研磨用洗浄ロール紙は、不織布、および少なくとも１つの研磨剤を含む。洗浄機構はさらに、研磨用洗浄ロール紙を前進させるように構成された供給ロールと、研磨用洗浄ロール紙を収集するように構成された巻き取りロールとを含むことが出来る。【選択図】なし【特許請求の範囲】
【請求項１】
定着器部材と、
前記定着器部材のための洗浄機構と
を備えるゼログラフィ定着装置であって、前記洗浄機構は、
前記定着器部材と接触する研磨用洗浄ロール紙であって、前記研磨用洗浄ロール紙は、不織布、および少なくとも１つの研磨剤を備え、前記少なくとも１つの研磨剤は、炭酸塩、ケイ酸塩、炭化物、粘土、およびそれらの組み合わせからなる群から選択される、研磨用洗浄ロール紙と、
前記研磨用洗浄ロール紙を前進させるように構成された供給ロールと、
前記研磨用洗浄ロール紙を収集するように構成された巻き取りロールと
を備える、ゼログラフィ定着装置。
【請求項２】
前記不織布は、ポリアラミド繊維を備える、請求項１に記載のゼログラフィ定着装置。
【請求項３】
前記ポリアラミド繊維は、メタアラミド繊維を備える、請求項２に記載のゼログラフィ定着装置。
【請求項４】
前記少なくとも１つの研磨剤は、炭酸塩、炭化物、ケイ酸塩、およびそれらの組み合わせからなる群から選択される、請求項１に記載のゼログラフィ定着装置。
【請求項５】
前記研磨剤は、約１％〜約５０％の範囲の量で、前記研磨用洗浄ロール紙の表面に存在する、請求項１に記載のゼログラフィ定着装置。
【請求項６】
前記研磨剤は、前記研磨用洗浄ロール紙の表面に結合剤によって結合される、請求項５に記載のゼログラフィ定着装置。
【請求項７】
前記結合剤は、コロイドシリカ、有機チタン酸塩および有機ジルコン酸塩、無機ケイ酸塩、ポリイミド、フェノール樹脂、シリコーン樹脂、シリコーン含有混合物／コポリマ、フルオロポリマ、ならびにそれらの組み合わせからなる群から選択される、請求項６に記載のゼログラフィ定着装置。
【請求項８】
前記研磨用洗浄ロール紙は、前記定着器部材に接触するように構成される、請求項１に記載のゼログラフィ定着装置。
【請求項９】
外部加熱部材と、
前記外部加熱部材のための洗浄機構と
を備えるゼログラフィ定着装置であって、前記洗浄機構は、
前記外部加熱部材と接触する研磨用洗浄ロール紙であって、前記研磨用洗浄ロール紙は、不織布、および少なくとも１つの研磨剤を備え、前記少なくとも１つの研磨剤は、炭酸塩、ケイ酸塩、炭化物、粘土、およびそれらの組み合わせからなる群から選択される、研磨用洗浄ロール紙と、
前記研磨用洗浄ロール紙を前進させるように構成された供給ロールと、
前記研磨用洗浄ロール紙を収集するように構成された巻き取りロールと
を備える、ゼログラフィ定着装置。
【請求項１０】
前記少なくとも１つの研磨剤は、炭酸塩、炭化物、ケイ酸塩、およびそれらの組み合わせからなる群から選択される、請求項９に記載のゼログラフィ定着装置。
【発明の詳細な説明】
【技術分野】
【０００１】
本開示は、一般的に、洗浄ロール紙に関し、さらに詳細には、定着器部材および外部加熱部材などのゼログラフィ部材を含む電気写真部材のための洗浄ロール紙と、その洗浄ロール紙を作成する方法とに関する。
【背景技術】
【０００２】
電気写真印刷装置において、複写される原本の光画像が、感光性部材上に静電潜像の形式で記録され、次に、潜像が、検電的熱可塑性樹脂粒子および着色剤粒子（「トナー」）の塗布によって可視化される。目の粗い粉末の形式の可視トナー画像は、容易に散布または破壊されることが出来るので、トナー画像は、通常、外部加熱部材によって加熱された定着器部材を使用して、サポートに熱的に固定または定着される。サポートは、それ自体が感光性部材であっても、単純な紙などの何らかの他のサポートであってもよい。
【０００３】
最終的に、定着器部材は、トナーや紙の破片や副産物、例えば、蓄積されたトナーやゲル化された定着器オイルで汚染される可能性がある。この汚染は、通常、定着器部材の表面を覆う膜として現れ、時の経過と共に積み重なり、それにより、定着器部材の性能および動作寿命に有害な影響を与える。定着器部材の汚染は、複写物上の斑点（ＭＯＣ）という問題を引き起こし、画像の明瞭さと品質とを不充分なものにすることの一因となり、装置の他の部材に有害な影響を与える可能性があり、これらの全てが、最終的に、定着システム全体を早く故障させることとなる。従って、定着器の汚染は、適切に対処されなかった場合には、広範囲の定着器部材の生涯効用を実質的に短くしてしまう可能性がある。同様に、外部加熱部材は、定着器部材に密接に関連するので、外部加熱部材も、同様な汚染問題にさらされる。定着器部材の汚染と同様に、外部加熱部材の汚染は、広範囲の機器の生涯効用を低下させ、維持費を増加させる。
【０００４】
これらの問題は、被覆された媒体（例えば、グラフィックアート）または光沢紙上で広い範囲の適用範囲を含む仕事において特に言われ、ここでは、汚染された定着器部材は、典型的には、頻繁な修理または交換を必要とする。さらに、定着器部材の表面は、より小さい文書の作業により、不均一な摩損パターンを有し得るので、より小さい文書の長期の作業後で、より大きな文書サイズに切り替えた時に、差分光沢の問題が生じ得る。従って、定着器および外部加熱部材の生涯効用を延長するために、従来技術に関するこれらの問題や他の問題を克服する必要性が存在する。
【発明の概要】
【課題を解決するための手段】
【０００５】
様々な実施形態によって、定着器部材と、定着器部材のための洗浄機構とを含むゼログラフィ定着装置が、提供される。洗浄機構は、定着器部材と接触する研磨用洗浄ロール紙を含み、研磨用洗浄ロール紙は、不織布と、少なくとも１つの研磨剤とを備える。少なくとも１つの研磨剤は、炭酸塩、ケイ酸塩、炭化物、粘土、およびそれらの組み合わせからなる群から選択される。洗浄機構はさらに、研磨用洗浄ロール紙を前進させるように構成された供給ロールと、研磨用洗浄ロール紙を収集するように構成された巻き取りロールとを含む。
【０００６】
様々な実施形態によって、外部加熱部材と、外部加熱部材のための洗浄機構とを含むゼログラフィ定着装置が、提供される。洗浄機構は、定着器部材と接触する研磨用洗浄ロール紙を含み、研磨用洗浄ロール紙は、不織布と、少なくとも１つの研磨剤とを備え、少なくとも１つの研磨剤は、炭酸塩、ケイ酸塩、炭化物、粘土、およびそれらの組み合わせからなる群から選択される。洗浄機構はさらに、研磨用洗浄ロール紙を前進させるように構成された供給ロールと、研磨用洗浄ロール紙を収集するように構成された巻き取りロールとを含む。
【０００７】
様々な実施形態によって、ゼログラフィ定着装置を洗浄するための方法もまた提供される。方法は、ポリアラミド繊維と、炭酸塩、ケイ酸塩、炭化物、粘土、およびそれらの組み合わせからなる群から選択される少なくとも１つの研磨剤とを備える研磨用洗浄ロール紙とゼログラフィ部材を接触させることと、研磨用洗浄ロール紙を用いてゼログラフィ部材から汚染を除去することとを含む。
【０００８】
本明細書の一部に組み込まれ、本明細書の一部を構成する添付の図面は、本開示の実施形態を説明し、そして、詳細な説明と共に、本開示の原理を説明することに役立つ。
【図面の簡単な説明】
【０００９】
【図１】図１は、本教示の様々な実施形態による例示的なゼログラフィ定着装置を概略的に説明する図である。
【図２】図２は、本教示の様々な実施形態による別の例示的なゼログラフィ定着装置の一部分を概略的に説明する図である。
【図３Ａ】図３Ａは、本教示の様々な実施形態による例示的な洗浄ロール紙を概略的に説明する図である。
【図３Ｂ】図３Ｂは、本教示の様々な実施形態による例示的な洗浄ロール紙を概略的に説明する図である。
【発明を実施するための形態】
【００１０】
図１では、本教示の様々な実施形態による例示的なゼログラフィ定着装置１を概略的に説明する。定着器部材２と、圧縮部材３と、ロール２とロール３との間の定着ニップを通過するように基板５を導く紙輸送装置４とを有する定着装置１が、説明され、そして、基板上のトナー画像は、基板上に定着されることが出来る。定着器部材２および圧縮部材３の上の矢印は、各部材の回転方向を示す。離型剤リザーバ６は、メータロール７とドナーロール８とに対して適切に作用する関係（すなわち、装置が動作中である時に見られるような関係）で示される。定着器部材２を加熱するための２つの外部加熱部材９（Ｘロール）は、定着器部材２と適切に作用するように接触（すなわち、装置が動作中であるときに生じる接触）する。Ｘロール９は両方とも、洗浄機構と適切に作用するように接触する。洗浄機構は、研磨用表面を有する洗浄ロール紙１０を含んでもよい。洗浄ロール紙１０の研磨用表面は、適切に作用するように接触しているときには、Ｘロール９の表面から汚染を「磨いて落とす」ことも、洗浄することも出来る。ローラ２、３、および９に隣接して位置決めされる箱１７は、サーモスタットである。洗浄ロール紙１０は、供給ローラ１５から供給され、そして、後に再使用または交換するために収集するための巻き取りローラ１４に移動する。
【００１１】
図２では、本教示の様々な実施形態による別の例示的なゼログラフィ定着装置１の一部分を概略的に説明する。図２において、定着器部材２は、洗浄機構と適切に作用するように接触して示される。洗浄機構は、研磨用表面を有する洗浄ロール紙１０を含んでもよい。洗浄ロール紙１０の研磨用表面は、適切に作用するように接触しているときには、定着器部材２の表面から汚染を「磨いて落とす」ことも、洗浄することも出来る。または、図１に関する上記の考察の全てが、図２に等しく適用される。
【００１２】
定着器部材２は、定着器ロールまたは定着器ベルトの形態であってもよい。定着器部材２は、フルオロエラストマ、シリコーンエラストマなどのエラストマ層で被覆されたコアを含んでもよい。市販のフルオロエラストマは、例えば、ＶＩＴＯＮ（登録商標）  Ａ：ＨＦＰおよびＶＤＦ（またはＶＦ２）のコポリマ、ＶＩＴＯＮ（登録商標）Ｂ：ＴＦＥ、ＶＤＦ、およびＨＦＰのターポリマ、ＶＩＴＯＮ（登録商標）  ＧＦ：ＴＦＥ、ＶＦ２、およびＨＦＰのテトラポリマ、ならびにＶＩＴＯＮ（登録商標）  Ｅ、ＶＩＴＯＮ（登録商標）  Ｅ−６０Ｃ、ＶＩＴＯＮ（登録商標）  Ｅ４３０、ＶＩＴＯＮ（登録商標）  ９１０、ＶＩＴＯＮ（登録商標）  ＧＨ、およびＶＩＴＯＮ（登録商標）  ＧＦを含んでもよい。ＶＩＴＯＮ（登録商標）の称号は、Ｅ．Ｉ．  ＤｕＰｏｎｔ  ｄｅ  Ｎｅｍｏｕｒｓ，  Ｉｎｃ．（Ｗｉｌｍｉｎｇｔｏｎ、ＤＥ）の商標である。他の市販のフルオロエラストマは、例えば、ＤＹＮＥＯＮ（商標）フルオロエラストマ、ＡＦＬＡＳ（登録商標）フルオロエラストマ（例えば、ポリ（プロピレン−テトラフルオロエチレン））、およびＦＬＵＯＲＥＬ（登録商標）フルオロエラストマ（例えば、ＦＬＵＯＲＥＬ（登録商標）ＩＩ（例えば、ＬＩＩ９００）ポリ（プロピレン−テトラフルオロエチレンビニリデンフルオリド）、ＦＬＵＯＲＥＬ（登録商標）２１７０、ＦＬＵＯＲＥＬ（登録商標）２１７４、ＦＬＵＯＲＥＬ（登録商標）２１７６、ＦＬＵＯＲＥＬ（登録商標）２１７７、および／またはＦＬＵＯＲＥＬ（登録商標）ＬＶＳ  ７６を含む、３Ｍ  Ｃｏｒｐｏｒａｔｉｏｎ（Ｓｔ．  Ｐａｕｌ，  Ｍｉｎｎｅｓｏｔａ）から入手可能なものを含んでもよい。さらなる市販のフルオロエラストマ材料は、Ｓｏｌｖａｙ  Ｓｏｌｅｘｉｓ（Ｗｅｓｔ  Ｄｅｐｔｆｏｒｄ、ＮＪ）から入手可能なＦＯＲ（登録商標）−６０ＫＩＲ、ＦＯＲ（登録商標）−ＬＨＦ、ＦＯＲ（登録商標）−ＮＭ、ＦＯＲ（登録商標）−ＴＨＦ、ＦＯＲ（登録商標）−ＴＦＳ、ＦＯＲ（登録商標）−ＴＨ、およびＦＯＲ（登録商標）−ＴＮ５０５として識別される「テクノフロン」を含んでもよい。鉄、アルミニウム、ニッケル、鋼鉄などの金属、および合成樹脂を含むが、それらには限定されない任意の適切な材料から、定着器部材２のコアは、作成されることが出来る。コアは、中空であり、定着動作のための熱を供給するために中空のコアの内部に配置された加熱素子を含むことが出来る。あるいは、定着器部材２は、例えば、Ｘロール９と直接接触する外部手段によって加熱されてもよい。実施形態において、定着器部材２は、内部手段、外部手段、または両者の組み合わせによって加熱されてもよい。記録基板５にトナーを定着するために充分な熱を提供するための加熱手段は、当該分野において周知である。
【００１３】
外部加熱部材９（Ｘロール）は、熱エネルギー（熱）を定着器部材２に提供する。Ｘロール９は、図１および図２に示されるように、中空の円筒であっても、中空の円筒を中に有するコアであってもよい。円筒またはコアは、アルミニウム、陽極酸化アルミニウム、鋼鉄、ニッケル、銅などの任意の適切な材料から作られることが出来る。Ｘロール９は、それの中空部分に配置された適切な加熱素子を有してもよい。
【００１４】
洗浄ロール紙１０は、不織布であってもよい。不織布は、ポリアラミド繊維を含んでもよい。本明細書において使用されるように、「不織布」という用語は、結合されたシート、または繊維もしくはフィラメントを絡ませること、あるいは膜を共に穿孔することによって形成された結合されたロール紙を指す。不織布における結合は、機械的結合、熱的結合、および／または化学的結合であってもよい。不織布は、織ること、または編むことによって作成されず、繊維を糸に転換することを必要としない。不織布は、実質的に、平坦および／または多孔性であってもよい。不織布は、多孔性である場合には、約１％〜約９９％、例えば、約６０％〜約８０％といった、約５０％〜約９５％などの範囲の多孔性を有してもよい。実施形態において、多孔性構造は、約５０ｎｍ〜約５００μｍ、例えば、約１μｍ〜約１０μｍといった、約５００ｎｍ〜約５０μｍの範囲の平均孔径を有してもよい。
【００１５】
本明細書において使用されるように、「ポリアラミド」は、当該分野において公知のような通常の意味を有するように理解され、芳香族ポリアミドから形成された耐熱性のある強い合成繊維の一種を指す（「ポリアラミド」という用語は、「芳香族ポリアミド」の混生語である）。当該分野において公知の任意のポリアラミドが、本明細書において使用されてもよい。例示的なポリアラミドは、パラ−アラミド（パラ結合によって結合された芳香族ポリアミド）、メタ−アラミド（メタ結合によって結合された芳香族ポリアミド）、およびそれらの組み合わせを含むが、それらには限定されない。一態様において、パラ−アラミドは、１位と４位とにおいてフェニル環に結合されたアミド基を有するパラ−フェニレンを含んでもよい。市販のパラ−アラミドの例は、Ｗｉｌｍｉｎｇｔｏｎ、ＤＥのＥ．  Ｉ．  ｄｕ  Ｐｏｎｔ  ｄｅ  Ｎｅｍｏｕｒｓ  ａｎｄ  Ｃｏｍｐａｎｙから入手可能なＫｅｖｌａｒ（登録商標）である。別の態様において、メタ−アラミドは、１位と３位とにおいてフェニル環に結合されたアミド基を有するメタ−フェニレンを含んでもよい。市販のメタ−アラミドの例は、Ｗｉｌｍｉｎｇｔｏｎ、ＤＥのＥ．Ｉ．ｄｕ  Ｐｏｎｔ  ｄｅ  Ｎｅｍｏｕｒｓ  ａｎｄ  Ｃｏｍｐａｎｙから入手可能なＮｏｍｅｘ（登録商標）である。不織布はまた、ポリアラミド繊維に加えて他の耐熱性ポリマを含んでもよい。実施形態において、ポリアラミド繊維は、例えば、約５０重量％〜約９５重量％、または約７５重量％〜約９０重量％などの約０重量％〜約１００重量％の範囲の量で不織布に存在してもよい。実施形態において、不織布は、約０．４ｇ／ｃｍ３〜約１．２ｃｍ３、例えば、約０．５ｇ／ｃｍ３〜約０．７ｇ／ｃｍ３などの約０．４ｇ／ｃｍ３〜約０．８ｇ／ｃｍ３の範囲の特定の重量を有してもよい。一態様において、不織布は、約０．６ｇ／ｃｍ３の特定の重量を有してもよい。
【００１６】
不織布は、洗浄ロール紙１０を形成するために表面を覆って配置された研磨剤２０を有してもよい。本明細書において使用されるように、「研磨用洗浄ロール紙」は、表面を覆って配置された研磨剤を含む不織布を意味するように理解される。研磨剤の種類は、典型的には、定着システムに依存するが、任意の研磨剤が、使用されてもよい。研磨剤が、定着器部材、外部加熱部材、または他の定着器コンポーネントを時期尚早に摩損させない限り、または定着器流体の塗布と干渉しない限り、任意の量の研磨剤が、所望の量の研磨を提供するために使用されてもよい。
【００１７】
例示的な研磨剤２０は、炭酸塩、炭化物、ケイ酸塩、粘土、およびそれらの組み合わせを含んでもよいが、それらには限定されない。実施形態において、研磨剤２０は、炭酸カルシウム、炭化ケイ素、ケイ酸塩、およびそれらの組み合わせを含んでもよい。研磨剤２０を含む、水溶液もしくは溶媒ベースの溶液、または研磨剤２０を含む、水性スラリもしくは溶媒ベースのスラリは、当該分野において公知の任意の方法によって、不織布の表面に塗布されることが出来る。水または溶媒は、研磨剤２０が、研磨剤洗浄ロール紙を形成するように不織布の表面に残るように蒸発されることが出来る。不織布は、不織布と物理的に相互作用する研磨剤２０を有する洗浄ロール紙１０をもたらすようにロール状に巻き付けられるので、研磨剤２０はまた、当該分野において公知の任意の方法、例えば、不織布の表面に研磨剤２０を撒くことによって乾燥形態で不織布に塗布されてもよい。研磨剤２０はさらに、研磨剤２０を含むオイルベースのスラリ（例えば、定着器オイルのスラリ）を用いて不織布に塗布されてもよい。研磨剤２０を含むオイルベースのスラリは、洗浄ロール紙１０を形成するために、当該分野において公知の任意の方法によって不織布の表面に塗布されてもよい。
【００１８】
態様において、研磨剤２０は、洗浄ロール紙１０と物理的に相互作用してもよい。本明細書において使用されるように、「物理的に相互作用する」は、研磨剤が、洗浄ロール紙１０と物理的に接触するが、洗浄ロール紙１０に化学的に結合されないことを意味するように理解される。実施形態において、研磨剤は、不織布と物理的に相互作用してもよく、洗浄ロール紙１０が、Ｘロール９などの別の部材と接触する時には、研磨剤は、洗浄ロール紙１０からＸロール９に運ばれてもよい。そこから、研磨剤は、定着器部材２の汚染を磨いて落とすことを促進するために、ロール２とロール３との間の定着ニップに運ばれてもよい。
【００１９】
一態様において、水溶液もしくは溶媒ベースの溶液、または水性スラリもしくは溶媒ベースのスラリは、研磨剤２０と、不織布の表面に研磨剤２０を結合するための有機または無機の耐熱性結合剤とを含んでもよい。例示的な耐熱性結合剤は、例えば、コロイドシリカ、有機チタン酸塩および有機ジルコン酸塩、無機ケイ酸塩、ポリイミド、フェノール樹脂、シリコーン樹脂、シリコーン含有混合物／コポリマ、フルオロポリマなどの高温結合剤、およびそれらの組み合わせを含むが、それらには限定されない。適切な耐熱性結合剤は、２００９年４月の、Ｐｈｉｌ  Ｐｈｉｌｌｉｐｓによる「Ｈｉｇｈ  ｈｅａｔ  ｒｅｓｉｓｔａｎｔ  ｃｏａｔｉｎｇ  ｓｙｓｔｅｍｓ」（ｗｗｗ．ｃｏａｔｉｎｇｓｗｏｒｌｄ．ｃｏｍ）という記事に記載されており、その開示は、その全体が参照により組み込まれる。塗布の後、溶液またはスラリの中の水または溶媒は、研磨剤２０が、研磨用洗浄ロール紙１０を形成するように、結合剤によって不織布の表面に結合されたままであるように蒸発されることが出来る。実施形態において、洗浄ロール紙１０が、Ｘロール９などの別の部材と接触した時には、研磨剤は、Ｘロールの表面から汚染物質等を磨いて落とすことによって外部加熱ロールの表面を活性化させながら、洗浄ロール紙１０に残ることが出来る。他の実施形態において、研磨剤２０のうちの一部は、Ｘロール９を洗浄するために洗浄ロール紙１０に残ることが出来るが、研磨剤２０のうちの一部は、定着器部材２から汚染を磨いて落とすことを促進するために、ロール２とロール３との間の定着ニップに運ばれることが出来る。実施形態において、結合剤は、約１％〜約９５％、例えば、約１０％〜約２０％といった、約５％〜約６０％の範囲の量で溶液またはスラリに存在してもよい。
【００２０】
図３Ａに示されるように、研磨剤２０は、定着装置１において周期的な洗浄サイクルを提供することが出来る洗浄ロール紙１０を形成するように、不織布材料上の複数の部分に塗布されてもよい。あるいは、図３Ｂに示されるように、研磨剤２０は、研磨剤２０が、定着装置１において継続的な洗浄を提供するように洗浄ロール紙１０の表面全体に均一に分散されるように、不織布に均一に塗布されてもよい。実施形態において、研磨剤２０は、約１％〜約５０％、例えば、約１０％〜約２０％といった、約５％〜約３０％の範囲の量で研磨用洗浄ロール紙の表面に存在してもよい。
【００２１】
研磨用洗浄ロール紙１０は、供給ロール１５から供給され、使用後、収集のために巻き取りロール１４に移動する。供給ロール１５は、新たな研磨表面を提供し、定着器部材２および／またはＸロール９の表面からの汚染物質の除去を強化することを促進するために、定期的な間隔で研磨用洗浄ロール紙１０を前進させるように構成される。巻き取りロール１４は、後に再使用または交換されるように、研磨用洗浄ロール紙１０の使用された部分を収集するように構成される。このようにして、研磨用洗浄ロール紙１０が、前進させられると、未使用の研磨剤２０が、露出されるので、有効性は、時の経過と共には失われない。実施形態において、研磨用洗浄ロール紙１０の露出された研磨剤の表面は、定着器およびＸロールの表面を「磨き」、汚染を除去するように、定期的な間隔で、定着器部材２および／またはＸロール９と適切に作用するように接触するように構成される。
【００２２】
開示された洗浄ロール紙１０を使用することによって、一部の先行技術において使用されるような追加の洗浄ステーションは、定着装置１に設置される必要はない。ゼログラフィシステムにおいて、空間は、常に真剣に考慮するべき事項であるので、余分な洗浄ステーションの必要性を回避することは、重要である。また、Ｘロール９および定着器部材２から汚染を除去するために洗浄ロール紙１０を使用することは、有利なことに、外部洗浄のために定着器部材２を除去する必要性を回避し、Ｘロール９および定着器部材２の生涯効用を長くする。開示された洗浄ロール紙１０は、定着器部材、外部加熱ロール、および定着装置の他の部材の汚染を防止することが出来る。
【図１】
2013011887.tif 000002
【図２】
2013011887.tif 000003
【図３Ａ】
2013011887.tif 000004
【図３Ｂ】
2013011887.tif 000005